【手続補正書】
【提出日】平成24年12月17日(2012.12.17)
【手続補正１】
【補正対象書類名】特許請求の範囲
【補正対象項目名】全文
【補正方法】変更
【補正の内容】
【特許請求の範囲】
【請求項１】
ネットワークの第１の部分に接続されており、第１のネットワークアドレスを有する受信システムと送信システムの間で、前記受信システムによってまだ受信されていないファイルの残りの部分のファイルセグメントを送信するためのセッションを開始することと、  前記ファイルセグメントの第１の部分を受信することと、
前記ファイルセグメントの前記第１の部分の受信に関する第１のリンク性能指標であって、前記第１のリンクのピーク帯域幅を含む第１のリンク性能指標を、前記第１のネットワークアドレスおよび前記受信システムと関連付けて求めることと、
前記送信システムに前記第１のリンク性能指標を報告することと、
前記受信された第１のリンク性能指標の少なくとも一部を、前記第１のネットワークアドレスおよび前記受信システムと関連付けて、前記送信システムの記憶装置に格納することと、
前記ファイルセグメントの第１の部分が前記受信システムによって受信された後で、かつ前記ファイルセグメントの第２の部分が前記受信システムによってまだ受信されていないセッションの間に、前記受信システムを前記ネットワークの前記第１の部分から切断することと、
前記ネットワークの前記第１の部分から前記受信システムを切断した後に、前記第１のネットワークアドレスとは異なる第２のネットワークアドレスを有する前記受信システムを前記ネットワークの第２の部分に接続することと、
前記ファイルセグメントの第２の部分を受信することと、
前記ファイルセグメントの前記第２の部分の受信に関する第２のリンク性能指標であって、前記第２のリンクのピーク帯域幅を含む第２のリンク性能指標を、前記第２のネットワークアドレスおよび前記受信システムと関連付けて求めることと、
前記第２のリンク性能指標を前記送信システムに報告することと、
前記受信された第２のリンク性能指標の少なくとも一部を、前記第２のネットワークアドレスおよび前記受信システムと関連付けて、前記送信システムの記憶装置に格納することと、
その後の時に、前記受信システムを前記ネットワークの前記第１又は第２の部分に接続することと、
前記受信システムおよび第１又は第２のリンクに対応する前記格納された性能指標を用いて、前記その後の時の前記送信システムと前記受信システムとの間の輻輳を検知することと、
を含む方法。
【請求項２】
前記第１のリンク性能指標を格納することが、第１の現在のピーク帯域幅の値と、前記受信システムおよび前記第１のネットワークアドレスと関連付けられた第１の記録内に以前保持されていた第１の履歴ピーク帯域幅の値に関する第１の閾値の値との比較によって行われ、前記第２のリンク性能指標を格納することが、第２の現在のピーク帯域幅の値と、前記受信システムおよび前記第２のネットワークアドレスと関連付けられた第２の記録内に以前保持されていた第２の履歴ピーク帯域幅の値に関する第２の閾値の値との比較によって行われる、請求項１に記載の方法。
【請求項３】
前記第１の現在のピーク帯域幅の前記値が前記第１の閾値の前記値より小さい場合に、現在時刻の値が前記第１の記録に格納され、前記第２の現在のピーク帯域幅の前記値が前記第２の閾値の前記値より小さい場合に、現在時刻の値が前記第２の記録に格納される、請求項２に記載の方法。
【請求項４】
前記第１の現在のピーク帯域幅が前記第１の閾値の前記値より大きく、前記第１の履歴ピーク帯域幅の前記値より小さい場合に、その旨の注記が前記第１の記録に格納され、前記第２の現在のピーク帯域幅の前記値が前記第２の閾値の前記値より大きく、前記第２の履歴ピーク帯域幅の前記値より小さい場合に、その旨の注記が前記第２の記録に格納される、請求項２に記載の方法。
【請求項５】
前記第１の現在のピーク帯域幅の前記値が、前記第１の履歴ピーク帯域幅の前記値より大きい場合に、前記第１の履歴ピーク帯域幅の前記値が前記第１の現在のピーク帯域幅の前記値で置換され、前記第２の現在のピーク帯域幅の前記値が、前記第２の履歴ピーク値の前記値より大きい場合に、前記第２の履歴ピーク帯域幅の前記値が前記第２の現在のピーク帯域幅の前記値で置換される、請求項２に記載の方法。
【請求項６】
前記第１の閾値の前記値が、前記第１の履歴ピーク帯域幅の９０％であり、前記第２の閾値の前記値が、前記第２の履歴ピーク帯域幅の９０％である、請求項２に記載の方法。
【請求項７】
前記第１のネットワークアドレスおよび前記受信システムと関連付けられた第１の記録が前記送信システムの記憶装置に存在する場合、前記受信された第１のリンク性能指標の少なくとも一部が前記第１の記録に格納され、前記第１の記録が存在しない場合、前記受信された第１のリンク性能指標の少なくとも一部が前記第１の記録に格納される前に、関連付けられた前記第１の記録がまず作成され、前記第２のネットワークアドレスおよび前記受信システムと関連付けられた第２の記録が前記送信システムの記憶装置に存在する場合、前記受信された第２のリンク性能指標の少なくとも一部が前記第２の記録に格納され、前記第２の記録が存在しない場合、前記受信された第２のリンク性能指標の少なくとも一部が前記第２の記録に格納される前に、前記第２の記録がまず作成される、請求項１に記載の方法。
【請求項８】
前記第１の記録が作成される必要がある場合、前記第１の記録が部分的に、前記第１のネットワークアドレスと関連付けられた第３の記録に含まれたなんらかのデータにより作成され、前記第２の記録が作成される必要がある場合、前記第２の記録が部分的に、前記第２のネットワークアドレスと関連付けられた第４の記録に含まれたなんらかのデータにより作成される、請求項７に記載の方法。
【請求項９】
前記第３の記録が、前記送信システム以外の第２の送信システム上に格納され、前記第１の記録を部分的に作成するために使用される前記なんらかのデータが、前記第２の送信システムから前記送信システムに送信され、前記第４の記録が前記送信システム以外の第３の送信システム上に格納され、前記第２の記録を部分的に作成するために使用される前記なんらかのデータが、前記第３の送信システムから前記送信システムに送信される、請求項８に記載の方法。
【請求項１０】
前記第１の記録および前記第２の記録が、前記受信システムの電子シリアルナンバーを通して前記受信システムと関連付けられる、請求項１に記載の方法。
【請求項１１】
前記ネットワークの前記第１の部分が、前記ネットワークの前記第２の部分とは異なるタイプである、請求項１に記載の方法。
【請求項１２】
送信システムから、ネットワークの第１の部分に接続され、第１のネットワークアドレスを有する受信システムに、複数のファイルセグメントのうちの１つを送信することと、  前記複数のファイルセグメントのうちの前記１つの受信に関する第１のリンク性能指標を、前記第１のネットワークアドレスおよび前記受信システムと関連付けて求めることと、
前記第１のリンク性能指標を前記送信システムに報告することと、
前記受信された第１のリンク性能指標の少なくとも一部を、前記第１のネットワークアドレスおよび前記受信システムと関連付けて前記送信システムの記憶装置に格納することと、
前記ネットワークの前記第１の部分から前記受信システムを切断することと、
第２のネットワークアドレスを有する前記受信システムを前記ネットワークの第２の部分に接続することと、
前記送信システムから、前記第２のネットワークアドレスを有する前記受信システムに前記ファイルの前記複数のセグメントのうちの別のセグメントを送信することと、
前記複数のファイルセグメントのうちの前記別のセグメントの受信に関する第２のリンク性能指標を、前記第２のネットワークアドレスおよび前記受信システムと関連付けて求めることと、
前記受信された第２のリンク性能指標のうちの少なくとも一部を、前記第２のネットワークアドレスおよび前記受信システムと関連付けて、前記送信システムの記憶装置に格納することと、
その後の時に、前記受信システムを前記ネットワークに接続し、前記第１又は第２のリンクを再確立することと、
前記再確立されたリンクに対応する前記格納されたリンク性能指標を用いて、前記送信システムと前記受信システムとの間の輻輳を検知することと、
を含む方法。
【請求項１３】
前記第１のリンク性能指標を格納することが、第１の現在のピーク帯域幅の値と、前記受信システムおよび前記第１のネットワークアドレスと関連付けられた第１の記録の中に以前保持されていた第１の履歴ピーク帯域幅の値に関する第１の閾値の値との間の比較によって実行され、前記第２のリンク性能指標を格納することが、第２の現在のピーク帯域幅の値と、前記受信システムおよび前記第２のネットワークアドレスと関連付けられた第２の記録の中に以前保持されていた第２の履歴ピーク帯域幅の値に関する第２の閾値の値との間の比較によって実行される、請求項１２に記載の方法。
【請求項１４】
前記第１の現在のピーク帯域幅の前記値が前記第１の閾値の前記値より小さい場合に、現在時刻の値が前記第１の記録に格納され、前記第２の現在のピーク帯域幅の前記値が前記第２の閾値の前記値より小さい場合に、現在時刻の値が前記第２の記録に格納される、請求項１３に記載の方法。
【請求項１５】
前記第１の現在のピーク帯域幅の前記値が、前記第１の閾値の前記値より大きく、前記第１の履歴ピーク帯域幅の前記値より小さい場合に、その旨の注記が前記第１の記録に格納され、前記第２の現在のピーク帯域幅の前記値が、前記第２の閾値の前記値より大きく、前記第２の履歴ピーク帯域幅の前記値より小さい場合には、その旨の注記が前記第２の記録に格納される、請求項１３に記載の方法。
【請求項１６】
前記第１の現在のピーク帯域幅の前記値が、前記第１の履歴ピーク帯域幅の前記値より大きい場合に、前記第１の履歴ピーク帯域幅の前記値が前記第１の現在のピーク帯域幅の前記値で置換され、前記第２の現在のピーク帯域幅の前記値が前記第２の履歴ピーク値の前記値より大きい場合に、前記第２のピーク帯域幅の前記値が前記第２の現在のピーク帯域幅の前記値で置換される、請求項１３に記載の方法。
【請求項１７】
前記第１の閾値の前記値が、前記第１の履歴ピーク帯域幅の９０％であり、前記第２の閾値の前記値が、前記第２の履歴ピーク帯域幅の９０％である、請求項１３に記載の方法。
【請求項１８】
前記第１のネットワークアドレスおよび前記受信システムと関連付けられた第１の記録が、前記送信システムの記憶装置に存在する場合、前記受信された第１のリンク性能指標の少なくとも一部が前記第１の記録に格納され、前記第１の記録が存在しない場合に、前記受信された第１のリンク性能指標の少なくとも一部が前記第１の記録に格納される前に、前記第１の記録がまず作成され、前記第２のネットワークアドレスおよび前記受信システムと関連付けられた第２の記録が、前記送信システムの記憶装置に存在する場合、前記受信された第２のリンク性能指標の少なくとも一部が、前記第２の記録に格納され、前記第２の記録が存在しない場合に、前記受信された第２のリンク性能指標の少なくとも一部が前記第２の記録に格納される前に、前記第２のネットワークアドレスおよび前記受信システムと関連付けられた前記第２の記録がまず作成される、請求項１２に記載の方法。
【請求項１９】
前記第１の記録が作成される必要がある場合に、前記第１の記録が部分的に、前記第１のネットワークアドレスと関連付けられた第３の記録に含まれたなんらかのデータにより作成され、前記第２の記録が作成される必要がある場合に、前記第２の記録が部分的に、前記第２のネットワークアドレスと関連付けられた第４の記録に含まれたなんらかのデータにより作成される、請求項１８に記載の方法。
【請求項２０】
前記第３の記録が、前記送信システム以外の第２の送信システム上に格納され、前記第１の記録を部分的に作成するために使用された前記なんらかのデータが、前記第２の送信システムから前記送信システムに送信され、前記第４の記録が、前記送信システム以外の第３の送信システム上に格納され、前記第２の記録を部分的に作成するために使用された前記なんらかのデータが、前記第３の送信システムから前記送信システムに送信される、請求項１９に記載の方法。
【請求項２１】
前記第１の記録および前記第２の記録が、前記受信システムの電子シリアルナンバーを通して前記受信システムと関連付けられる、請求項１２に記載の方法。
【請求項２２】
前記ネットワークの前記第１の部分が、前記ネットワークの前記第２の部分とは異なるタイプである、請求項１２に記載の方法。
【請求項２３】
複数の待機期間のうちの異なる待機期間が各伝送後に発生する複数の伝送によって、一度に１つづつ、ファイルセグメントを送信することを含む、複数のファイルセグメントから構成されるファイルの一部を、送信システムから受信システムに送信することと、
ファイルセグメントの伝送ごとに、前記ファイルセグメントが前記送信システムから前記受信システムに送信された実際の転送速度を決定することと、
前記ファイルセグメント伝送のうちの少なくとも第１のファイルセグメント伝送について、第１のネットワークアドレスを有するネットワークの第１の部分に接続されている前記受信システムで前記ファイルセグメント伝送を受信することと、
前記送信システムに、前記ファイルセグメント伝送のうちの前記少なくとも前記第１のファイルセグメント伝送の前記実際の転送速度を報告することと、
前記ファイルセグメント伝送のうちの前記少なくとも前記第１のファイルセグメント伝送の前記実際の転送速度が、以前に格納された転送速度に関する閾値より大きい場合に、前記送信システムに前記実際の転送速度を格納することと、
前記ファイルセグメント伝送のうちの少なくとも第２のファイルセグメント伝送について、第２のネットワークアドレスを有する前記ネットワークの第２の部分に接続されている前記受信システムで前記ファイルセグメント伝送を受信することと、
前記送信システムに、前記ファイルセグメント伝送のうちの前記少なくとも前記第２のファイルセグメント伝送の前記実際の転送速度を報告することと、
前記ファイルセグメント伝送のうちの前記少なくとも前記第２のファイルセグメント伝送の前記実際の転送速度が、以前に格納された転送速度に関する閾値より大きい場合に、前記送信システムに前記実際の転送速度を格納することと、
を含む方法。
【請求項２４】
前記ネットワークの前記第１の部分が、前記ネットワークの前記第２の部分とは異なるタイプである、請求項２３に記載の方法。
【請求項２５】
送信システムから、ネットワークの第１の部分に接続されている受信システムに、ファイルの第１のファイルセグメントを送信することと、
前記第１のファイルセグメントを受信することと、
前記第１のファイルセグメントの受信に関する第１のリンク性能指標を、前記ネットワークの前記第１の部分および前記受信システムと関連付けて求めることと、
前記受信された第１のリンク性能指標の少なくとも一部を、前記ネットワークの前記第１の部分および前記受信システムと関連付けて格納することと、
前記ネットワークの前記第１の部分から前記受信システムを切断することと、
前記ネットワークの前記第１の部分から前記受信システムを切断した後に、前記受信システムを前記ネットワークの第２の部分に接続することと、
前記第２のファイルセグメントを受信することと、
前記第２のファイルセグメントの受信に関する第２のリンク性能指標を、前記ネットワークの前記第２の部分および前記受信システムと関連付けて求めることと、
前記受信された第２のリンク性能指標のうちの少なくとも一部を、前記第２のネットワークアドレスおよび前記受信システムと関連付けて、前記送信システムの記憶装置に格納することと、
その後の時に、前記受信システムを、前記ネットワークの第１および第２の部分のうちの選択された１つに接続することと、
前記受信システムおよび前記その後の時に前記受信システムに接続された前記ネットワークの前記選択された部分に関する、前記格納されたリンク性能指標を取り出すことと、
前記取り出されたリンク性能指標を用いて、前記送信システムと前記ネットワークの前記選択された部分に接続された前記受信システムとの間の輻輳を検知することと、
を含む方法。
【請求項２６】
前記ネットワークの前記第１の部分は第１のネットワークインタフェースタイプを含み、前記ネットワークの前記第２の部分は第２のネットワークインタフェースタイプを含む、請求項２５に記載の方法。
【請求項２７】
前記第１のネットワークタイプは、前記第２のネットワークタイプと異なる、請求項２６に記載の方法。